(57)【特許請求の範囲】
【請求項１】
上面及び下面を連設する側面に折曲部が形成され、当該側面が折り畳まれた通液性及び可撓性を有した袋体と、
この袋体の上面又は下面に一端が固着され、折り畳み状態の袋体の外周に巻き付けられた少なくとも一の吊り糸と、
外部々材に係止される係止部が形成され、前記吊り糸の他端に取り付けられると共に、折り畳み状態の袋体の上面又は下面に剥離可能に接合されたタグと、を備えていることを特徴とする包装体。
【請求項２】
前記側面が上面及び下面の面内の方向に折り畳まれていることを特徴とする請求項１記載の包装体。
【請求項３】
前記側面が上面及び下面の面外の方向に折り畳まれていることを特徴とする請求項１記載の包装体。
【請求項４】
前記袋体の上面及び下面が多角形の外形々状に形成されていることを特徴とする請求項１〜３のいずれかに記載の包装体。
【請求項５】
前記袋体の上面及び下面が曲線状のコーナー部を有した多角形の外形々状に形成されていることを特徴とする請求項１〜３のいずれかに記載の包装体。
【請求項６】
前記袋体の上面及び下面が曲線からなる外形々状に形成されていることを特徴とする請求項１〜３のいずれかに記載の包装体。
【請求項７】
前記係止部は、一端がタグの外周端で開口し、他端がタグの面内に延びるスリットであることを特徴とする請求項１記載の包装体。
【請求項８】
前記係止部は、一部分が開放された閉ループ状の切り込み線を介して、タグに部分的に連設した状態で引き起こし可能にタグに形成されたリップであることを特徴とする請求項１記載の包装体。
【発明の詳細な説明】
【０００１】
【発明の属する技術分野】
本発明は、緑茶、紅茶、ウーロン茶等の茶葉やコーヒー粉等の嗜好用加工品の粉、鰹節の削り粉や煮干し等のだし原料、その他の抽出用原料が封入された包装体に関する。
【０００２】
【従来の技術】
上述のような抽出用原料（以下、内容物と記する）を封入した包装体には、抽出効率を向上させる工夫がなされている。図１６〜図１８は、このような工夫がなされることによって特開平３−９８８７０号公報に記載された従来の包装体２００を示す。
【０００３】
この包装体２００は、テトラ状に成形された袋体２１０と、袋体２１０に取り付けられた吊り糸２２０とからなり、吊り糸２２０はその一端が、袋体２１０の一の頂点又は一の面の略中央部分に固着されている。２３０は吊り糸２２０の他端に取り付けられたタグである。
【０００４】
図１６は、この包装体２００を外袋（図示省略）内に収納する形態を示し、テトラ状の袋体２１０が適宜の部分で折り畳まれ、この折り畳み状態に対して吊り糸２２０を巻回する。そして、タグ２３０を袋体２１０の外面に軽く接着することにより、吊り糸２２０が袋体２１０の折り畳み状態を保持し、外袋内への投入が行われる。
【０００５】
抽出時においては、図１７及び図１８に示すように、タグ２３０を把持し、吊り糸２２０によって袋体２１０を吊り下げ、容器１５０内の湯に浸漬する。図１７は袋体２１０の一頂点に吊り糸２２０の一端が固着された場合であり、三角形状の面が下側に位置している。図１８は袋体２１０の一の面に吊り糸２２０の一端が固着された場合であり、一頂点が下側に位置している。これらのいずれの場合も袋体２１０がテトラ状のため、袋体２１０の内部空間が広く、多くの内容物を充填できると共に、内容物と湯との接触度合いが多くなり、効率的な抽出を行うことができる。
【０００６】
【発明が解決しようとする課題】
しかしながら、従来の包装体２００は、折り畳み状態が嵩張っているため、外袋と引っ掛かり易く、外袋内への収納が難しい問題がある。又、折り畳み状態では図１６に示すように、吊り糸２２０によって単に丸められた不規則な外形となっている。このため外観が劣化し、外袋からの取り出し時に見苦しく、商品価値が低下している。
【０００７】
さらに、従来の包装体２００では、抽出時に吊り糸２２０及びタグ２３０が容器１５０の内部に落ち込み易く、落ち込みによって衛生上悪くなるばかりでなく、タグ２３０に印刷されているインクが滲み出て湯を汚す問題を有している。この落ち込みを防止するため、吊り糸を袋体に２重、３重に巻回して充分な長さを確保することが考えられるが、包装体としての外観が劣化するばかりでなく、外袋への収納時に吊り糸が外袋と引っ掛かり易く、さらには包装体の製造ラインで２重、３重に巻回することが難しく、実用的ではない。
【０００８】
本発明はこのような従来の問題点を考慮してなされたものであり、嵩張ることのない整然とした折り畳み状態とすることができ、外観を向上させることができると共に、吊り糸を長くしないでも吊り糸やタグが容器内に落ち込むことを確実に防止することが可能な包装体を提供することを目的とする。
【０００９】
【課題を解決するための手段】
上記目的を達成するため、請求項１の発明は、上面及び下面を連設する側面に折曲部が形成され、当該側面が折り畳まれた通液性及び可撓性を有した袋体と、この袋体の上面又は下面に一端が固着され、折り畳み状態の袋体の外周に巻き付けられた少なくとも一の吊り糸と、外部々材に係止される係止部が形成され、前記吊り糸の他端に取り付けられると共に、折り畳み状態の袋体の上面又は下面に剥離可能に接合されたタグと、を備えていることを特徴とする。
【００１０】
この発明では、側面が折り畳まれることにより、袋体は通常状態では扁平となる。このため嵩張ることがなく、外袋内に容易に収納できる。又、側面が折り畳まれることにより、上面及び下面が重なり合い、整った形状となって外観が向上する。
【００１１】
又、タグに形成した係止部を容器等の外部々材に係止することによって、タグが外部々材と物理的に結合する。このため、タグが外部々材から脱落することがなく、吊り糸及びタグの落ち込みがなくなる。従って、落ち込み防止のために吊り糸を長くする必要がなくなる。
【００１２】
抽出時においては膨潤した内容物の重みや袋体に用いた包材の伸び等により、側面が折り畳み状態から伸びる。これにより袋体が展開状態となるが、折り畳まれている側面が伸びた展開状態のため、内部が広い空間となる。このため、内容物が湯に良好に接触し、抽出効率が向上する。又、内容物は展開される広い空間に充填されるものであり、このため、充分な量を充填することができる。
【００１４】
この発明では、吊り糸が折り畳み状態の袋体の外周に巻き付けられており、さらにタグが折り畳み状態の袋体に接合されるため、吊り糸が袋体から離れることがなく、外袋との引っ掛かりがなくなり、外袋内への収納を円滑に行うことができる。
【００１５】
以上の包装体のそれぞれにおいては、側面を袋体の上面及び下面の面内の方向に折り畳んでも良く、上面及び下面の面外の方向に折り畳んでも良い。
【００１６】
又、袋体の上面及び下面を多角形としても良く、曲線状のコーナー部を有した多角形としても良く、さらには曲線で囲まれた外形々状としても良い。後者二つの形状とすることにより、袋体内での内容物の引っ掛かりがなくなり、滞留することがないため、内容物が袋体内で円滑に移動し、抽出効率が向上する。
【００１７】
係止部としては、一端がタグの外周端で開口し、他端がタグの面内に延びるスリットであっても良く、一部分が開放された閉ループ状の切り込み線を介して、タグに部分的に連設した状態で引き起こし可能にタグに形成されたリップであっても良い。
【００１８】
スリットは、外部々材を挿入することによって、又、リップは外部々材を挟むことによって外部々材に係止される。従って、タグ及びタグに連結されている吊り糸が外部々材内へ落ち込むことがなくなる。
【００１９】
【発明の実施の形態】
図１〜図６は本発明の一実施形態の包装体１を示す。この包装体１は袋体２と、袋体２内に封入された内容物３（図２参照）と、袋体に取り付けられた吊り糸２０とを有している。
【００２０】
袋体２は液体が通過可能な通液性及び折り畳みや展開が可能な可撓性を有した材質の包材が使用される。この通液性及び可撓性を有した包材としては、合成樹脂糸編成の網目体、不織布、ナイロン紗、その他のものを選択できる。この包材は長尺なシート状で供給され、折り込み、シール、切断することにより、図示の形状に成形される。
【００２１】
袋体２は図２に示すように、上面４及び下面５が対向すると共に、上面４及び下面５を左右の側面６、６によって連設することによって形成されている。この実施形態では、上面４及び下面５が横長の六角形状に成形されており、左右の側面６、６はこの上面４及び下面５を袋体２の長さ方向で連設している。すなわち、図１及び図３に示すように、袋体２の長さ方向の両端部２ａ、２ｂにおいては、上面４、下面５及び側面６が一体となっているが、この両端部２ａ、２ｂの間では、側面６が上面４及び下面５の面内の方向に折り込まれた状態となるものである。
【００２２】
図１〜図３において、符号７は側面６を折り込むための折曲部である。この折曲部７は各側面６のそれぞれの略中央部分に位置すると共に、袋体２の長尺な辺の長さ方向に沿った直線状に形成されている。左右の側面６はかかる折曲部７を境として上下に折り畳まれる。図２において、符号１５は側面６に形成された折り畳み部である。このような折り畳みによって、上面４及び下面５が側面６を介して重なり合い、これにより袋体２を嵩張ることのない薄い扁平状とすることが可能となる。
【００２３】
吊り糸２０は、その一端２１が超音波溶着、熱溶着等によって袋体２の上面４の略中央部分に固着されている。この吊り糸２０の他端２２には、紙片、プラスチック片等からなるタグ４０が取り付けられており、図２及び図３に示すように、このタグ４０が袋体２の上面４に剥離可能に接合されている。かかる接合は、タグ４０の下面にホットメルト接着剤を塗布し、このホットメルト接着剤を感熱させて接着力を発現させることにより行われる。このような接合では、指等によってタグ４０を袋体２から簡単に引き剥がすことができる。なお、タグ４０の接合は、スポット溶着、その他の手段によっても行うことができる。
【００２４】
この実施形態において、吊り糸２０は図２及び図３に示すように、折り畳み状態の袋体２の上面４に固着された一端２１から袋体２の外周に沿って巻回された後、袋体２の上面４に引き回され、タグ４０が袋体２の上面４に接合されることによって袋体２の外周に巻き付けられている。この場合、吊り糸２０は袋体２の短尺側の辺に巻回される。
【００２５】
このように一端２１及び他端２２（タグ４０）が袋体２の同一面に固着され、且つ、袋体２の短尺側の辺に巻回されることによって、吊り糸２０が不用意に巻回状態から外れることがなくなる。このため、この吊り糸２０の巻回状態のままで外袋８（図３参照）に収納しても、吊り糸２０が外袋８と引っ掛かることがない。なお、外袋８はガスバリヤ性となっており、外袋８への収納によって内容物３の酸化や香りの揮散を防止するものである。
【００２６】
かかる外袋８への収納は、袋体２は側面６が折り畳まれた状態で行われる。この折り畳み状態では、袋体２の全体が扁平となって、嵩張っていないため、吊り糸２０に加えて袋体２自体も外袋８と引っ掛かることがなく、外袋８への収納を円滑に行うことができる。さらに、袋体２の折り畳み状態では、上面４及び下面５が完全に重なり合った整った形状となっている。このため袋体１の外観が向上しており、外袋８を開封して取り出したときの興趣性が向上し、商品価値も増大する。
【００２７】
タグ４０は図４に示すように、本体４１と、係止部としてのスリット４２とによって構成されている。本体４１は、紙片、合成樹脂片、その他の材質によって四角形の薄い小片状に成形されるものである。本体４１としては、小片状であれば良く、長円形、円形、三角形、多角形、その他の形状であっても良い。
【００２８】
スリット４２は、一端４２ａが本体４１の一辺側の外周端で開口しており、他端４２ｂは本体４１の面内に直線的に延びている。このスリット４２は、本体４１の中央付近まで延びており、その他端４２ｂには、スリット４２の幅よりも大径となっている円形の止め穴４３が連通している。かかるスリット４２は、容器９等の外部々材に係止されるものである（図５参照）。
【００２９】
図５は、この実施形態の包装体１の抽出時の状態を示し、外部々材としての容器９の内部には湯１０が充填されている。抽出時においては、開口されているスリット４２の一端４２ａを容器９の縁部に臨ませて、容器９の縁部を一端４２ａからスリット４２内に差し込む。差し込みは、容器９の縁部が止め穴４３に達することによって停止し、差し込みによってタグ４０の本体４１は、容器９の縁部を挟み込む。この挟み込みによってタグ４０は容器９に係止される。
【００３０】
このように本体４１が容器９の縁部に係止されることによって、タグ４０は容器９内に落ち込むことがなくなる。このため、タグ４０が湯１０に浸漬されることがなく、衛生上の問題が生じないと共に、タグ４０に印刷されているインクが滲み出ることがない。又、タグ４０の落ち込みを防止するために吊り糸２０を長くする必要もなく、糸材の消費量が少なくなると共に、吊り糸２０自体が絡んだり、外袋８に絡むこともなくなり、取り扱い性が向上する。
【００３１】
さらに、この実施形態では、スリット４２に大径の止め穴４３が連通しており、容器９の縁部の差し込みによる応力を止め穴４３が吸収或いは緩和する。このため、容器９の縁部がスリット４２の幅よりも厚くてもスリット４２が裂けることがなく、確実な係止を行うことができる。
【００３２】
抽出時には、袋体２内に湯が侵入して、内部の内容物３に吸収され、内容物３が膨潤する。この膨潤した内容物３の重量及び袋体２が湯と接触することによる包材の熱膨張や弛みの相互作用あるいは一方の作用によって、折り畳み状態から側面６が伸び、上面４及び下面５が相互に離反した展開状態となる。
【００３３】
かかる展開状態では、袋体２の内部が広い空間となり、この空間内で内容物３が湯と接触するため、抽出効率が良く、短時間で抽出することができる。また、このことは展開によって広くなる空間に内容物を予め、充填することであり、これにより袋体２への内容物の充填量を増大させることができ、充分な量の内容物の充填が可能となる。ここで、内容物３としては、緑茶、紅茶、ウーロン茶等の茶葉やコーヒー粉、削り節、だし昆布、煮干し等の原料、煎じ薬等の医薬品、その他の抽出用原料を使用することができる。
【００３４】
以上の抽出時には、スプーン等によって湯１０を攪拌することもなされ、これにより、攪拌流が容器９内に発生する。この実施形態では、上述のように袋体２の内部空間が広がっているため、この広い内部空間内を内容物３が自由に移動できる。このため、内容物３と湯との接触度合が増大し、抽出効率がさらに向上する。
【００３５】
図６は攪拌流１２が及ぼす作用を示す。この実施形態では、袋体２が横長六角の多角形となっており、それぞれのコーナー部１１が９０度を超えた鈍角となっている。このためコーナー部１１が内容物の移動を遮ることがなく、内容物３がコーナー部１１に引っ掛かったり、コーナー部１１で停滞することなく、攪拌流１２と共に袋体２内を円滑に、回り運動することができる。従って、攪拌による抽出効率を、さらに確実に向上させることができる。
【００３６】
図７は、袋体２の折り畳みの別の形態を示す。袋体２の上面４及び下面５が正方形又は長方形からなる四角形となっており、この上面４及び下面５の左右両側が側面６によって連設されている。各側面６は折曲部７を有しており、折曲部７によって二つ折りに折り畳まれている。この折り畳みは上面４及び下面５が重なるようになされるが、側面６はこれらが重なり合う面よりも外方の方向に向かって折り畳まれている。
【００３７】
すなわち、この折り畳みは側面６がフラップ状となって上面４及び下面５の面外の方向に突出するようになっている。このように面外の方向に折り畳まれた場合でも、折り畳み時の袋体２の幅が広くなるだけであって、嵩張ることのない薄い扁平状であり、しかも整った外形とすることができ、外袋への収納の邪魔となることがない。また、抽出時においては、折り畳まれている側面６が円滑に伸びるため、袋体２内の空間が大きくなり、抽出効率を増大させることができる。
【００３８】
図８及び図９は袋体２の平面形状、すなわち上面４（又は下面５）の、さらに別の形態をそれぞれ示す。なお、これらの場合にも、上述と同様に上面４と及び下面５は折り畳み状の側面６によって連設されるものである。
【００３９】
図８に示す袋体２は、袋体２の上面４（及び下面５）が四角形となっているが、４隅のコーナー部３０が曲線によって切除された形状となっている。より具体的には、同図（ａ）では、上面４の外側からの円弧によって切除された内側弧状の曲線となっており、同図（ｂ）では、上面４の内側からの円弧によって切除された外側弧状の曲線となっている。このように、コーナー部３０を曲線状とすることにより、袋体２の内の内容物３がコーナー部３０に引っ掛かって停滞することなく、円滑に移動することができる。このため、内容物３との接触度合いが多くなり、抽出効率を増大させることができる。
【００４０】
図９（ａ）は袋体２の上面４が円形となっており、（ｂ）は円形が連設されたダルマ形となっており、（ｃ）は上面４が長円となってる。これらの形状は、上面４が曲線で囲まれた外形となるものであり、袋体２内の内容物３が引っ掛かることなく、円滑に移動できる。このため、これらの形状によっても、抽出効率を増大させることができる。
【００４１】
以上の実施形態では、側面６を折り畳むための折曲部７を１本としたが、各側面に２本以上形成して、側面６を蛇腹状に折り畳んでも良い。又、吊り糸２０は少なくとも１本を有していれば良く、２本以上であっても良い。このように吊り糸２０を複数設けることにより、袋体２の吊り下げが安定するため、袋体２を振盪させる抽出ができ、抽出効率がさらに向上するメリットがある。
【００４２】
図１０及び図１１は、タグ４０の別の形態をそれぞれ示す。図１０（ａ）に示すタグ４０は、本体４１の面内に延びるスリット４２の他端４２ｂに止め穴が連通することなく、スリット４２が単一の幅となっているものである。この場合においても、容器９の縁部をスリット４２に差し込んむことによりタグ４０を係止することができる。
【００４３】
図１０（ｂ）に示すタグ４０は、スリット４２の一端４２ａが本体４１の一の角部に開口しており、他端４２ｂがこの角部から本体４１の面内に斜め方向に延びている。スリット４２の他端４２ｂは、本体４１の略中央部に達しており、その終端には、大径の止め穴４３が連通している。
【００４４】
図１０（ｃ）に示すタグ４０は、スリット４２が本体４１の一辺側の外周端から本体４１の面内に延びているが、本体４１の面内では湾曲状となっている。このように湾曲されることによって、スリット４２が容器９の縁部に噛み込むようになり、タグ４０をさらに確実に係止することが可能となる。
【００４５】
図１１に示すタグ４０は、いずれもスリット４２が幅広で、且つ短尺に形成されるものであり、同図（ａ）のタグ４０のスリット４２は、本体４１の外周端によって一部が切り取られた円形状となっている。同様に（ｂ）に示すタグ４０のスリット４２は、本体４１の外周端によって一部が切り取られた三角形、（ｃ）に示すタグ４０のスリット４２は、本体の外周端によって一部が切り取られた四角形となっている。このように幅広で、且つ短尺なスリット４２であっても、容器の縁部を差し込むことによって、タグ４０を確実に容器９に係止することができる。
【００４６】
図１２及び図１３は、タグ４０のさらに別の形態を示す。このタグ４０では、本体４１の面内に切り込み線６０が形成されている。切り込み線６０は、一部分６０ａが開放された湾曲状の閉ループとなっており、閉ループ状の切り込み線６０によって囲まれた部分がリップ６１となっている。
【００４７】
リップ６１は、開放部分６０ａが本体４１と連設しているが、開放部分６０ａ以外の部分は切り込み線６０によって本体４１から切り離されている。従って、図１３に示すように、切り込み線６０を介してリップ６１を本体４１から引き起こすことができ、引き起こされたリップ６１と本体４１との間に容器９の縁部を挟むことができる。
【００４８】
図１４は、このようなリップ６１を有するタグ４０を用いた包装体１を示す。抽出時には、切り込み線６０を介してリップ６１を引き起こし、リップ６１と本体４１との間に容器９の縁部を挟むことによって、タグ４０を容器９の縁部に係止することができる。この実施形態では、引き起こされたリップ６１が先細り状のため、容器９への係止を円滑に行うことができるようになっている。
【００４９】
このようにリップ６１と本体４１によって容器９の縁部を挟むことにより、タグ４０が確実に容器９に係止されるため、タグ４０が容器９内に落ち込むことがなく、衛生的な抽出を行うことができる。従って、吊り糸２０を長くして容器９内への落ち込みを防止する必要がなく、吊り糸２０を短くできる。この場合、リップ２１が容器９の内部に位置し、本体４１が容器９の外部に位置しているが、この反対であっても同様である。
【００５０】
なお、タグ４０の切り込み線６０としては、一部分が開放された閉ループとなっていれば良く、例えば、図１５に示すように、矩形状の閉ループの切り込み線６０であっても良く、その形状を任意に変更することができるものである。
【００５１】
【発明の効果】
以上説明したように、本発明によれば、側面が折り畳まれることにより、袋体は通常状態では扁平となるため嵩張ることがなく、外袋内に容易に収納できる。又、側面が折り畳まれることにより、上面及び下面が重なり合うため、整った形状となって外観が向上する。さらに、袋体の収容々積を大きくできるため、内容物の充填量を増加させることができ、しかも、内容物が袋体内で円滑に移動でき、抽出効率が向上する。
【００５２】
又、さらにタグに形成した係止部を容器等の外部々材に係止することによって、タグが外部々材と物理的に結合する。このため、タグが外部々材から脱落することがなく、吊り糸及びタグの落ち込みがなくなる。従って、落ち込み防止のために吊り糸を長くする必要がなくなる。
【図面の簡単な説明】
【図１】本発明の実施形態の包装体の斜視図である。
【図２】包装体の折り畳み状態の断面図である。
【図３】包装体を折り畳んで外袋に収納した状態の斜視図である。
【図４】タグの正面図である。
【図５】抽出時の斜視図である。
【図６】抽出時の内容物移動を示す平面図である。
【図６】本発明の第２の実施形態の折り畳み状態の斜視図である。
【図７】本発明の別の実施形態の斜視図である。
【図８】（ａ）及び（ｂ）は、袋体の別の形態の平面図である。
【図９】（ａ）〜（ｃ）は、袋体のさらに別の形態の平面図である。
【図１０】（ａ）〜（ｃ）は、タグの別の形態の正面図である。
【図１１】（ａ）〜（ｃ）は、タグのさらに別の形態の正面図である。。
【図１２】リップを形成したタグの実施形態の平面図である。
【図１３】リップを引き起こした状態のタグの斜視図である。
【図１４】リップを形成したタグを備えた包装体の抽出時の斜視図である。
【図１５】リップを形成するための切り込み線の別例の平面図である。
【図１６】従来の包装体の平面図である。
【図１７】従来の包装体の抽出状態の斜視図である。
【図１８】従来の包装体の他の抽出状態の斜視図である。
【符号の説明】
１  包装体
２  袋体
３  内容物
４  上面
５  下面
６  側面
７  折曲部
２０  吊り糸
４０  タグ
４２  スリット
【図１】
0004024362.tif 000002
【図２】
0004024362.tif 000003
【図３】
0004024362.tif 000004
【図４】
0004024362.tif 000005
【図５】
0004024362.tif 000006
【図６】
0004024362.tif 000007
【図７】
0004024362.tif 000008
【図８】
0004024362.tif 000009
【図９】
0004024362.tif 000010
【図１０】
0004024362.tif 000011
【図１１】
0004024362.tif 000012
【図１２】
0004024362.tif 000013
【図１３】
0004024362.tif 000014
【図１４】
0004024362.tif 000015
【図１５】
0004024362.tif 000016
【図１６】
0004024362.tif 000017
【図１７】
0004024362.tif 000018
【図１８】
0004024362.tif 000019